(57)【要約】【課題】収納室下方にある圧縮機やその周囲の配管が複雑であり、排水ホースが設触し破れるあるいは排水ホースの固定が必要であった。【解決手段】収納室１と、収納室１を冷却する冷却器２と、ドレーン水蒸発装置３と、冷却器２の下部に設けられ、上部ガイド９と、下部ガイド１０と、開口部１１と、排水部１２で構成されたドレーンガイド７と、ドレーンガイド７と結合され冷却器２から排水されたドレーン水を収納室１外に出す排水口８とを備えたことにより、ドレーン水蒸発装置３へドレーン水を導くために、圧縮機周囲にホース等を設ける必要がなく、ドレーン水がホース等から漏れる危険を無くすことができる。【選択図】図１
2005173868.tif 000002
【特許請求の範囲】
【請求項１】
商品を収納する断熱構造の収納室と、この収納室を冷却する冷却器と、前記冷却器の下部に配置し、前記冷却器で発生したドレーン水を受けるドレーンガイドを設け、前記収納室前部の排水口を通じ、前記収納室の下方に設けたドレーン水蒸発装置へ導くことを特徴とした自動販売機のドレーン水排水装置。
【請求項２】
前記ドレーンガイドは上下２重構造で構成され、上部には冷却器から排水されたドレーン水を下部との空間に落とす開口部が設けられ、下部はドレーン水を受け収納室前部の排水口を通じドレーン水蒸発装置へ導くガイドを備えたことを特徴とした請求項１に記載の自動販売機のドレーン水排水装置。
【請求項３】
前記ドレーンガイド上部の開口部の周囲にドレーン水流出防止のための堰を設けたことを特徴とする請求項２に記載自動販売機のドレーン水排水装置。
【請求項４】
前記ドレーンガイドは、前記収納室の後ろから前に向かって傾斜し、前記冷却器からのドレーン水を収納室の前方の排水口に導くことを特徴とした請求項１から３のいずれか一項に記載の自動販売機のドレーン水排水装置。
【請求項５】
前記排水口は、ドレーン水を一時保留するトラップ構造を備えたことを特徴とする請求項１から４のいずれか一項に記載の自動販売機のドレーン水排水装置。
【請求項６】
前記排水口の排水出口先端部は、下部が切り欠いた形状で、前記収納室と断熱扉との間に設けたシール部材に当接し、前記排水出口先端部の切り欠いた箇所からドレーン水を排水する請求項５に記載の自動販売機のドレーン水排水装置。
【請求項７】
前記収納室は複数に区画され、各々の収納室前方に設けられた排水口からのドレーン水を集水し、ドレーン水蒸発装置へ導く樋状の集水部材を設けたことを特徴とする請求項１から６のいずれか一項に記載の自動販売機のドレーン水排水装置。
【発明の詳細な説明】
【技術分野】
【０００１】
本発明は、収納室内に冷却器を備えた自動販売機において、収納室内に発生するドレーン水を処理するドレーン水排水装置に関するものである。
【背景技術】
【０００２】
従来、この種のドレーン水排水装置は、収納室の下部に排水口を設け、この排水口に挿着された排水路となるホースを介して下方のドレーン水蒸発装置に排水している。（例えば、特許文献１参照）
図５は、前記公報に記載された従来のドレーン水排水装置を示すものである。図  に示すように、収納室１と、冷却器２と、ドレーン水蒸発装置３と、排水口４と、ホース５と、圧縮機６とから構成されている。
【特許文献１】特開平８−３０８５６号公報
【発明の開示】
【発明が解決しようとする課題】
【０００３】
しかしながら、前記従来の構成では、収納室下方にある圧縮機やその周囲の配管が複雑であり、ホースが接触し破れるあるいはホースの固定が必要になるという課題を有していた。
【０００４】
本発明は、前記従来の課題を解決するもので、収納室下方にある圧縮機やその周囲の配管に影響されることなく排水が可能となる自動販売機のドレーン水排水装置を提供することを目的とする。
【課題を解決するための手段】
【０００５】
前記従来の課題を解決するために、本発明の自動販売機のドレーン水排水装置は、商品を収納する断熱構造の収納室と、この収納室を冷却する冷却器と、前記冷却器の下部に配置し、前記冷却器で発生したドレーン水を受けるドレーンガイドを設け、前記収納室前部の排水口を通じ、前記収納室の下方に設けたドレーン水蒸発装置へ導くことにより、構造が複雑である圧縮機周囲をホース等を介してドレーン水蒸発装置へ導く必要が無く、ドレーン水が漏れる危険を無くせるという作用を有する。
【０００６】
また、本発明の自動販売機のドレーン水排水装置は、２重構造で構成され上部には冷却器から排水されたドレーン水を下部との空間に落とす開口部が設けられ、下部はドレーン水を受け収納室前部の排水口を通じドレーン水蒸発装置へ導くドレーンガイドを備えたことにより、ドレーン水により収納室内の配線等の部品が濡れることを無くせるという作用を有する。
【０００７】
また、本発明の自動販売機のドレーン水排水装置は、ドレーンガイド上部の開口部の周囲にドレーン水流出防止のための堰を設けたことにより、ドレーン水が開口部以外の箇所に落ちたとしても、堰によって、収納室内にドレーン水がこぼれ落ちることを防止する作用を有する。
【０００８】
また、本発明の自動販売機のドレーン水排水装置は、排水口の排水出口先端部は、下部が切り欠いた形状で、前記収納室と断熱扉との間に設けたシール部材に接し、前記排水出口先端部の切り欠いた箇所からドレーン水を排水することにより、扉の断熱性を確保しながら、ドレーン水をシール部材に沿って流すことで、確実に排水できる作用を有する。
【０００９】
また、本発明の自動販売機のドレーン水排水装置は、収納室は複数に区画され、各々の収納室前方に設けられた排水口からのドレーン水を集水し、ドレーン水蒸発装置へ導く樋状の集水部材を設けたことにより、複数の収納室から排水されたドレーン水は１箇所に集める作用を有する
【発明の効果】
【００１０】
本発明の請求項１に記載の自動販売機のドレーン水排水装置は、ドレーン水蒸発装置へドレーン水を導くために、圧縮機周囲にホース等を設ける必要がなく、ドレーン水がホース等から漏れる危険を無くすことができる。
【００１１】
また、収納室の底に排水のための孔を設ける必要がなく、そのため収納庫の断熱性を向上させることができる。
【００１２】
また、排水を集水する樋状の集水部材は、冷却器の排水を受け流すことと、断熱扉内側の露を受け流すこともでき、ドレーン水蒸発装置への排水を兼用することができる。
【発明を実施するための最良の形態】
【００１３】
請求項１に記載の発明は、商品を収納する断熱構造の収納室と、この収納室を冷却する冷却器と、前記冷却器の下部に配置し、前記冷却器で発生したドレーン水を受けるドレーンガイドを設け、前記収納室前部の排水口を通じ、前記収納室の下方に設けたドレーン水蒸発装置へ導くことにより、構造が複雑である圧縮機周囲をホース等を介してドレーン水蒸発装置へ導く必要が無く、ドレーン水が漏れる危険を無くすことができる。
【００１４】
請求項２に記載の発明は、請求項１に記載の発明のドレーンガイドが２重構造で構成され上部には冷却器から排水されたドレーン水を下部との空間に落とす開口部が設けられ、下部はドレーン水を受け収納室前部の排水口を通じドレーン水蒸発装置へ導くガイドを備えたことにより、ドレーン水により収納室内の配線等の部品が濡れることを無くすことができる。
【００１５】
請求項３に記載の発明は、請求項２に記載の発明のドレーンガイド上部の開口部の周囲にドレーン水流出防止のための堰を設けたことにより、ドレーン水が開口部以外の箇所に落ちたとしても、堰によって、収納室内にドレーン水がこぼれ落ちることを防止することができ、収納室内の配線等の部品が濡れることを無くすことができる。
【００１６】
請求項４に記載の発明は、請求項１から３のいずれか一項に記載の発明において、前部へ傾斜し、ドレーン水を受け収納室前部の排水口を通じドレーン水蒸発装置へ導くドレーンガイドを備えたことにより、自動販売機が傾斜して設置された場合でもドレーン水が溜まり、収納室内に溢れ出ることを防止できる。
【００１７】
請求項５に記載の発明は、請求項１から４のいずれか一項に記載の発明において、排水口にドレーン水を一時保留するトラップ構造を備えたことにより、外部との空気の流入を遮断し、塵、虫等の侵入を防止するとともに、断熱効果を得ることができる。
【００１８】
請求項６に記載の発明は、請求項５に記載の発明において、排水口の排水出口先端部は、下部が切り欠いた形状で、前記収納室と断熱扉との間に設けたシール部材に当接し、前記排水出口先端部の切り欠いた箇所からドレーン水を排水することにより、ドレーン水をシール部材に沿って流すことで、確実に排水でき、かつ扉の断熱性を確保することができる。
【００１９】
請求項７に記載の発明は、請求項１から６のいずれか一項に記載の発明において、収納室は複数に区画され、各々の収納室前方に設けられた排水口からのドレーン水を集水し、ドレーン水蒸発装置へ導く樋状の集水部材を設けたことにより、複数の収納室から排水されたドレーン水は１箇所に集めることができ、また断熱扉内側の露を受け流すこともでき、ドレーン水蒸発装置への排水を兼用することができる。
【００２０】
（実施の形態１）
図１は、本発明の第１の実施の形態における自動販売機のドレーン水排水装置の側面断面図を示すものである。
【００２１】
図１において、収納室１は断熱材により半密閉構造となっている。冷却器２は収納室１を冷却するものである。ドレーン水蒸発装置３は、収納室１の下方に位置し冷却器２から排水されるドレーン水を蒸発させる。ドレーンガイド７は、冷却器２の下部に設けられ、冷却器２から排水されたドレーン水を収納室１の前部に設けられた排水口８から排水する。ドレーンガイド７は冷却器が配置されている箇所から手前に向かって傾斜されるように構成されている。ドレーンガイド７と排水口８は、排水の漏れ無きように結合されている。樋１３は排水口８の下方に設けられ、収納室の各々からの排水を１箇所に集水し、ドレーン水蒸発装置３に流し込む働きをするものである。
【００２２】
図２は、本発明の第１の実施の形態におけるドレーンガイド７の斜視図、図３は、本発明の第１の実施の形態における排水口８の斜視図、図４は本発明の第１の実施の形態における排水口８の断面図である。
【００２３】
図２において、ドレーンガイド７は、上部ガイド９と下部ガイド１０で構成されており、排水が漏れない構造となっている。上部ガイド９には、冷却器２の排水を受ける、開口部１１が設けてある。ドレーンガイド７の前面には、排水口８と結合している排水部１２が設けられている。排水部１２は先端部が絞り込まれており、下部ガイド１０の先端に設けた排水孔１５からドレーン水を排水する。
上部ガイド９の開口部１１の周囲には、堰１４が設けられており、開口部１１から外れて落ちたドレーン水が流れ落ちないように堰き止める役割を果たす。堰１４はフォームの貼り付けによって構成するものや、上部ガイド９を押し出し加工して設けるものが考えられる。堰１４の高さは、ドレーン水が堰１４内に溜まったときに、堰１４から流れ出ないうちに、開口部１１に流れ落ちる高さが必要である。
【００２４】
また、堰１４の高さをできるだけ低くするには、堰１４の内側に溜まったドレーン水を下部ガイド１０に流すために、堰１４の内側近傍の上部ガイド９に孔を設けることも有効である。
【００２５】
図３において、排水口８の上部には、下部ガイド１０の先端に設けた排水孔１５からドレーン水を受ける排水入口１６、側面には筒状の排水出口１７が設けられ、さらに排水出口１７の下部はコの字状に切り欠き部１８が設けられている。
【００２６】
図４は、ドレーンガイド７からのドレーン水を排水口８で受けてさらに、樋１３に集水する構造を示している。排水口８の内部には仕切部１９が設けられ、排水出口１７の上端部はシール部材２１の裏側に当接している。シール部材２１と樋１３は一体成型されている。
【００２７】
以上のように構成された自動販売機のドレーン水排水装置についてその動作を説明する。
【００２８】
収納室１は、冷却器２により冷却される。その時、冷却器２よりドレーン水が排水される。排水されたドレーン水は、ドレーンガイド７の開口部１１より漏れのないよう結合された上部ガイド９と下部ガイド１０間を流れ、排水部１２の排水孔１５より排水口８の排水入口１６へ流れ落ちる。
【００２９】
排水口８の内部には仕切部１９が設けられ、流れ込んだドレーン水は下部の保留部２０に保留することができ、仕切部１９によって排水入口１６と排水出口１７の空気に流入を遮断できる構造となっている。また、排水出口１７から流出したドレーン水は排水出口１７の切り欠き部１８とシール部２１の間を表面張力によってシール部２１の裏側を伝って、樋１３に流れ落ちる。
【００３０】
樋１３に流れ落ちたドレーン水は１箇所に集水され、ドレーン水蒸発装置３へ供給され蒸発を行う。
【００３１】
冷却庫内が複数設けられている場合は、ドレーンガイド７および排水口８も同数設けられており、樋１３によってドレーン水蒸発装置３の箇所まで集水される。
【００３２】
以上のように、本実施の形態においては、収納室１と、収納室１を冷却する冷却器２と、ドレーン水蒸発装置３と、冷却器２の下部に設けられ、上部ガイド９と、下部ガイド１０と、開口部１１と、排水部１２で構成されたドレーンガイド７と、ドレーンガイド７と結合され冷却器２から排水されたドレーン水を収納室１外に出す排水口８とを備えたことにより、構造が複雑である圧縮機周囲をホース等を介してドレーン水蒸発装置３へ導く必要が無く、ドレーン水が漏れる危険を無くすことができる。
【００３３】
また、本実施例の形態ではドレーンガイド７を上部ガイド９と下部ガイド１０の２層構造とすることにより、ドレーン水により収納室１内の配線部品が濡れることなく安全に動作できる。
【００３４】
また、本実施の形態では、ドレーンガイド上部の開口部の周囲にドレーン水流出防止のための堰を設けたことにより、上部ガイド９の開口部１１より外に落ちたドレーン水を収納室１の底に流れ落ちないようにすることができる。
【００３５】
また、本実施例の形態ではドレーンガイド７を前部に傾斜させることにより、ドレーン水が収納室１内に溜まることなくスムーズに排水を行えるとともに、冷却器２の交換時には、傾斜を利用しスムーズに取り外せるという効果もある。
また、本実施例の形態の排水口８をトラップ形状にすることにより、排水口８の開口部より外部気が侵入することなく、効率的な運転を行える。
【産業上の利用可能性】
【００３６】
以上のように、本発明にかかる自動販売機のドレーン水排水装置は、構造が複雑である圧縮機周囲をホース等を介してドレーン水蒸発装置へ導く必要が無く、ドレーン水が漏れる危険を無くすことが可能となるので、業務用の冷却器を搭載した機器にも適用できる。
【図面の簡単な説明】
【００３７】
【図１】本発明の実施の形態１における自動販売機のドレーン水排水装置の側面断面図
【図２】本発明の実施の形態１における自動販売機のドレーン水排水装置のドレーンガイドの斜視図
【図３】本発明の実施の形態１における自動販売機のドレーン水排水装置の排水口の斜視図
【図４】本発明の実施の形態１における自動販売機のドレーン水排水装置の排水口の断面図
【図５】従来の自動販売機のドレーン水排水装置の側面断面図
【符号の説明】
【００３８】
１    収納室
２    冷却器
３    ドレーン水蒸発装置
７    ドレーンガイド
８    排水口
９    上部ガイド
１０    下部ガイド
１１    開口部
１２    排水部
１３    樋
１４    堰
１７    排水出口
１８    切り欠き部
２１    シール部
【図１】
2005173868.tif 000003
【図２】
2005173868.tif 000004
【図３】
2005173868.tif 000005
【図４】
2005173868.tif 000006
【図５】
2005173868.tif 000007